(57)【要約】      （修正有）【課題】ストラップの偶発的なずれを防止し、しかも使用者が希望するときにストラップを容易に緩めることを可能にするバックルを提供することである。【解決手段】雄部および雌部を有するバックル。雄部は二つの側壁と、第一および第二保持棒と、少なくとも一つの係止アームとを有する。第一ストラップ保持棒に隣接して配置された摺動自在のストラップ把持棒がある。ストラップ把持棒は解放位置と把持位置との間で摺動するように適応される。雌部は、開端を持つ中空体と、係止アームを受容するための少なくとも一つの係止溝とを備える。雄部が雌部に挿入されると、係止アームは係止溝内に係止され、雌部はストラップ把持棒を把持位置に押し込み、それは保持棒に通されたストラップを把持し、ストラップがずれるのを防止する。雄部が雌部から解放されると、ストラップ把持棒は解放位置まで摺動し、ストラップの調整が可能になる。【選択図】図２
2006280911.tif 000002
【特許請求の範囲】
【請求項１】
二つの側壁と、
前記側壁の間に配置された第一および第二保持棒と、
少なくとも一つの係止アームと、
前記二つの側壁の間に前記第一ストラップ保持棒に隣接して配置された摺動自在のストラップ把持棒であって、解放位置と把持位置との間で摺動するように適応されたストラップ把持棒と、
を含む雄部と、
開端を持つ中空体と、
前記少なくとも一つの係止アームを受容するための少なくとも一つの係止溝と、
を含む雌部と、
を備えたバックルにおいて、
前記雄部が前記雌部に挿入されると、前記係止アームが前記係止溝内に係止され、前記雌部が前記ストラップ把持棒を把持位置に押し込み、ストラップが前記ストラップ保持棒に通されかつ前記ストラップ把持棒が前記把持位置に着くと、前記ストラップ把持棒が前記ストラップを把持して前記ストラップがずれるのを防止し、前記雄部が前記雌部から解放されると、前記ストラップ把持棒が解放位置まで摺動し、前記ストラップの調整が可能になるように構成されたバックル。
【請求項２】
前記ストラップ把持棒が前記ストラップ保持棒に面する側に沿って歯を有し、前記ストラップ把持棒が把持位置に着くと、前記歯が前記ストラップを把持するようにした、請求項１に記載のバックル。
【請求項３】
前記ストラップ把持棒が、前記ストラップ保持棒とは反対側に押面を含み、前記雄および雌部が一つに係止されたときに、前記押面が前記雌部に当接し、前記雌部が前記ストラップ把持棒を前記把持位置に押し込むことを可能にする、請求項１に記載のバックル。
【請求項４】
前記ストラップ把持棒が二端を有し、かつ各端に少なくとも一つの突起を有し、前記側壁の各々に少なくとも一つのアパーチャがあり、前記少なくとも一つの突起が前記少なくとも一つのアパーチャから延出して、前記ストラップ把持棒が前記雄部に接続される、請求項１に記載のバックル。
【請求項５】
前記ストラップ把持棒の各端に二つの突起があり、前記側壁の各々に二つのアパーチャがあり、前記ストラップ把持棒が前記解放位置と前記把持位置との間で摺動かつ回動する、請求項４に記載のバックル。
【請求項６】
二つの係止アームおよび二つの係止溝がある、請求項１に記載のバックル。
【請求項７】
前記雌部に配置された少なくとも一つのストラップ保持棒をさらに含む、請求項１に記載のバックル。
【請求項８】
前記第一ストラップ保持棒が前記第二ストラップ保持棒から垂直方向に偏位する、請求項１に記載のバックル。
【請求項９】
前記ストラップ把持棒が当初、係止ゲートを介して前記雄部と一体的に成形される、請求項１に記載のバックル。
【請求項１０】
前記ストラップ把持棒が前記第一ストラップ保持棒に面する側に沿って少なくとも一つの突起を具備する、請求項１に記載のバックル。
【請求項１１】
前記第一ストラップ保持棒が前記ストラップ把持棒の前記一つの突起に対応する少なくとも一つの窪みを具備し、前記ストラップ把持棒が前記第一ストラップ保持棒に押し付けられたときに、前記少なくとも一つの突起が前記少なくとも一つの窪み内に嵌るようにした、請求項１０に記載のバックル。
【請求項１２】
ストラップの一部分が前記ストラップ把持棒と前記第一ストラップ保持棒との間に延在するように前記バックルに通されたストラップをさらに備え、前記ストラップが前記ストラップ把持棒の前記少なくとも一つの突起に対応する少なくとも一つの穴を有し、前記少なくとも一つの突起が前記ストラップの前記少なくとも一つの穴から延出して前記ストラップのずれを防止する、請求項１０に記載のバックル。
【請求項１３】
前記ストラップ把持棒は、前記バックルが係止されているときに、二本の指を前記ストラップ把持棒の端に押し当て、前記ストラップ把持棒を回転させて前記把持位置からずらすことによって、それを調整することができるように構成される、請求項１に記載のバックル。
【発明の詳細な説明】
【技術分野】
【０００１】
本発明は、ベルト、シートベルト、バックパック、または他の用途に使用するためのバックルに関する。特に、本発明は、バックルをストラップに固定して使用中のストラップの偶発的ずれを防止する、摺動自在の棒付きバックルに関する。
【背景技術】
【０００２】
ベルト用途に、つまり二つのストラップを一緒に固定するために、使用される従来のプラスチックバックルでは、バックルの各側が一般的に棒を有し、その周りに各ストラップが通されて、ストラップはバックル部品（ピース）に取り付けられる。そのようなバックルの一例は米国特許意匠特許第Ｄ４０１，５３３号に示されており、その開示を参照によって本書に組み込む。
【０００３】
これらの基本的バックルが直面する一つの問題は、ストラップが往々にしてそれらの初期張着状態から滑脱して、ベルトが思いがけなく緩むことである。別の問題は、特にストラップ保持棒がバックル本体に近接配置されている場合に、ストラップが時々棒に膠着することがあるために、希望するときにベルトを緩めることがしばしば難しいことがあり得ることである。
【０００４】
この問題の一つの解決策は、ずれ防止ウェビングアジャスタ（Ｗｅｂｂｉｎｇ  Ａｄｊｕｓｔｅｒ）についての米国特許第５，７７４，９４７号に記載されている。この特許は、ストラップ保持棒に隣接して配置された回動棒を使用する。ストラップがストラップ保持棒の周りに通されるときに、回動棒はストラップに押し当てられ、ストラップの後方摺動を防止して、緩むのを防止する。回動棒はばね負荷されて、静止位置でストラップを押圧する。ストラップに対する把持の量を増大するために、ストラップ保持棒および回動棒は溝を付けるか、または歯を持つことができる。ストラップを解放するために、使用者は棒をストラップから離れるように回動させて、ストラップを自由に摺動させる。これはずれを防止する効果的な方法であるが、ベルトを緩めるために使用者の側で余分な仕事が要求される。加えて、棒を回動させるには、特に微光状態で、またはバックルが動いているときに、使用者が持つ以上の器用さが要求されるかもしれない。
【特許文献１】米国特許意匠特許第Ｄ４０１，５３３号
【発明の開示】
【発明が解決しようとする課題】
【０００５】
したがって、本発明の目的は、ストラップの偶発的なずれを防止し、しかも使用者が希望するときにストラップを容易に緩めることを可能にするバックルを提供することである。
【０００６】
本発明の別の目的は、組立および操作が簡単なそのようなバックルを提供することである。
【課題を解決するための手段】
【０００７】
これらおよび他の目的は、雄部および雌部を有するバックルによって達成される。雄部は二つの側壁と、側壁の間に配置された第一および第二保持棒と、少なくとも一つの係止アームとを備える。二つの側壁の間に、第一ストラップ保持棒に隣接して配置された、摺動自在のストラップ把持棒がある。ストラップ把持棒は、解放位置と把持位置との間で摺動するように適応される。ストラップを通し易くするために、第一ストラップ保持棒は、第二ストラップ保持棒から垂直方向に偏位させることができる。
【０００８】
雌部は、開端を持つ中空体と、少なくとも一つの係止アームを受容するための少なくとも一つの係止溝とを備える。雄部が雌部に挿入されると、係止アームは係止溝内に係止され、雌部はストラップ把持棒を把持位置に押し込む。ストラップがストラップ保持棒に通され、ストラップ把持棒が把持位置に着くと、ストラップ把持棒はストラップを把持し、ストラップがずれるのを防止する。雄部が雌部から解放されるときに、ストラップ把持棒は解放位置まで摺動し、ストラップの調整が可能になる。ストラップ把持棒はまた、バックルが係止されている間に、バックルの両側から延出するストラップ把持棒の端に二本の指を押し当て、棒がもはやストラップ保持棒に触れなくなるようにストラップ把持棒を人の指で回転させることによって、ストラップ保持棒を押圧する状態から解放することもできる。これは、バックルを係止解除することなく、ストラップを調整することを可能にする。
【０００９】
ストラップ把持棒が把持位置に着いたときに歯がストラップを把持するように、ストラップ把持棒は、ストラップ保持棒に面する側に沿って歯を持つことができる。
【００１０】
ストラップ把持棒は、雄部および雌部が一つに係止されたときに当接しかつ雌部がストラップ把持棒を把持位置に押し込むことを可能にする押面を、ストラップ保持棒とは反対側に備えることができる。
【００１１】
一実施形態では、ストラップ把持棒は二端を有し、各端に少なくとも一つの突起を有する。雌部の前記側壁の各々には少なくとも一つのアパーチャがある。少なくとも一つの該突起は少なくとも一つの該アパーチャから延出し、ストラップ把持棒を雌部に接続させる。
【００１２】
好適な実施形態では、ストラップ把持棒の各端に二つの突起があり、かつ側壁の各々に二つのアパーチャがある。動作中、ストラップ把持棒は摺動し、解放位置と把持位置との間で回動する。
【００１３】
好適な実施形態では、二つの係止アームおよび二つの係止溝がある。
【００１４】
雌部は少なくとも一つの保持棒を持つこともできる。
【００１５】
別の実施形態では、ストラップ把持棒は当初、係止ゲートを介して雄部と一体的に成形される。雄部を雌部に押し込み、雄部を雌部に係止すると、雌部は摺動自在のストラップ把持棒に押し付けられ、雄部の成形ゲートが切断され、ストラップ把持棒が雄部から分離される。
【００１６】
この実施形態の別のバージョンでは、係止ゲートは、成形プロセス中に部品が型から取り出されるときにそれらを実際に剪断または切断することができるように形成され、よって、雄が雌に挿入されたときにこれらの二つの接続点を切断させる必要が無くなる。型から取り出した後、把持棒は自由に浮動する。この実施形態では、成形ゲートは型の鋼の下に沈められるので、部品を取り出すときに、ゲートは切断される。
【００１７】
別の実施形態では、ストラップ把持棒はストラップ保持棒に面するその側面に沿って一連の突起を有し、ストラップ保持棒は突起に面して一連の対応する窪みを有する。ストラップ把持棒がストラップ保持棒の方向に押されると、突起は窪みに嵌り込む。このバックルと共に使用するために、一連の対応する穴を有するストラップが設けられる。ストラップがバックルに通されると、ストラップ把持棒の突起はストラップの穴から延出し、ストラップを固定位置に確実に保持する。ストラップを解放するために雄部を解放することにより、ストラップ把持棒が後方に摺動されるまで、ストラップのずれは起こりえない。好ましくは、少なくとも三つの突起、三つの窪み、および三つの穴があり、ストラップに沿って三つの穴が数列あるが、他の適切な構成も可能である。
【００１８】
本発明の他の目的および特徴は、添付の図面に関連して考察される以下の詳細な説明から明らかになるであろう。しかし、図面は単なる例示として作成されており、本発明の範囲を画定するものではないことを理解されたい。
【００１９】
図面では、同様の参照文字は、幾つかの図を通じて同様の要素を表わしている。
【発明を実施するための最良の形態】
【００２０】
今、図面を詳細に参照すると、図１〜３は係止位置のバックル１０を示す。バックル１０は雄部２０および雌部３０を備える。雄部２０は二つの側壁２１と、二つの係止アーム２２、２３と、第一ストラップ保持棒２４と、第二ストラップ保持棒２５とを有する。摺動自在または回動自在のストラップ把持棒２６は第一ストラップ保持棒２４に隣接して配置される。
【００２１】
ストラップ把持棒２６は、ストラップ保持棒２４に隣接する面に沿って配置された複数の歯２７を有する。ストラップ把持棒２６は、雄部２０の側壁２１の各々にある二つのアパーチャ４０、４１から延出する、ストラップ把持棒２６の各端にある二つの突起２８、２９を介して、雄部２０に接続される。突起２８、２９およびアパーチャ４０、４１の形状は、ストラップ把持棒２６が把持位置と解放位置との間で摺動および／または回動することができるようなものであり、それについては下で詳述する。雄部２０の詳細図を図４に示し、ストラップ把持棒２６の詳細図を図５に示す。
【００２２】
図１〜３に示すように、雌部３０は中空体３１と、二つの係止溝３２と、上縁３３とを有する。雄部２０を雌部３０に挿入すると、雌部３０の上縁３３はストラップ把持棒２６のプラットフォーム４５に押し付けられて、ストラップ把持棒２６は解放位置から把持位置に移動し、そこでストラップ５０はストラップ保持棒２７に押し付けられる。この動きを順次、図６Ａ〜６Ｅに示す。雄部２０が雌部３０から解放されると、雌部３０の前縁３３はもはやプラットフォーム４５に押し付けられないので、ストラップ把持棒２６は解放位置に戻る。
【００２３】
ストラップ把持棒２６はまた、バックルが係止されている間に、端２８に二本の指を押し当て、棒２６がもはやストラップ保持棒２７に触れなくなるように、ストラップ把持棒２６を指で回転させることによって、ストラップ保持棒２７を押圧する状態から解放することもできる。これは、バックル１０を係止解除することなく、ストラップ５０を調整することを可能にする。
【００２４】
好適な実施形態では、図２に示すように、雄部２０は、成形ゲート４８を介して、ストラップ把持棒２６と単一品として成形される。雄部２０の雌部３０への初期挿通により、プラットフォーム４５に対する前縁３３の圧力は、ゲート４８を切断させ、ストラップ把持棒２６を雄部２０の残部から分離させる。
【００２５】
図７〜９は、本発明に係るバックル１０の代替実施形態を示す。この実施形態では、ストラップ把持棒２６は、ストラップ保持棒２４に面するその側面に沿って配置される一連の突起５０を有する。ストラップ保持棒２４もまた一連の対応する窪み５１を有するので、ストラップ把持棒２６がストラップ保持棒２４内に押し込まれると、突起５０は窪み５１の内側に嵌り込む。
【００２６】
図８は、図７に示したバックル１０用のストラップ６０を示す。ストラップ６０は、突起５０および窪み５１のパターンに対応するパターンに配置された一連の穴６１を有するので、図９に示すようにストラップ６０がバックル１０に挿通されたときに、突起５０は穴６１から延出し、窪み５１に嵌り込み、ストラップ６０のずれを防止する。雄部２０を雌部３０から解放するとストラップ把持棒２６も解放され、ストラップ６０を調整することが可能になる。ストラップ６０は穴パターンをその長さに沿って繰返し持つことができるので、それはその長さの様々な部分に沿ってバックル１０に配置することができる。ここでは三つの突起／穴／窪みが示されているが、より少数またはより多数の突起、穴、および窪みを持つ他のパターンも使用することができる。
【００２７】
したがって、本発明の少数の実施形態だけを示しかつ説明したが、本発明の精神および範囲から逸脱することなく、それらに多くの変更および変形を施すことができることは明らかである。
【図面の簡単な説明】
【００２８】
【図１】本発明に係るバックルの一実施形態の斜視図を示す。
【図２】図１のバックルの上面図を示す。
【図３】図１のバックルの側面図を示す。
【図４】図１の雄部の斜視図を示す。
【図５】ストラップ把持棒の上面図を示す。
【図６Ａ】雄部が雌部に挿入されて係止されるときの様々な段階のバックルの側面図を示す。
【図６Ｂ】雄部が雌部に挿入されて係止されるときの様々な段階のバックルの側面図を示す。
【図６Ｃ】雄部が雌部に挿入されて係止されるときの様々な段階のバックルの側面図を示す。
【図６Ｄ】雄部が雌部に挿入されて係止されるときの様々な段階のバックルの側面図を示す。
【図６Ｅ】雄部が雌部に挿入されて係止されるときの様々な段階のバックルの側面図を示す。
【図７】本発明に係るバックルの代替例を示す。
【図８】図７に係るバックル用のストラップを示す。
【図９】図７に係るバックルおよび図８に係るそれに挿通されたストラップの端面図を示す。
【図１】
2006280911.tif 000003
【図２】
2006280911.tif 000004
【図３】
2006280911.tif 000005
【図４】
2006280911.tif 000006
【図５】
2006280911.tif 000007
【図６Ａ】
2006280911.tif 000008
【図６Ｂ】
2006280911.tif 000009
【図６Ｃ】
2006280911.tif 000010
【図６Ｄ】
2006280911.tif 000011
【図６Ｅ】
2006280911.tif 000012
【図７】
2006280911.tif 000013
【図８】
2006280911.tif 000014
【図９】
2006280911.tif 000015